(57)【要約】【課題】コンテンツ利用者の少額決済時の手数料負担を軽減し、匿名性、安全性を確保すると同時に、決済の利便性を向上とコンテンツの内容の確認を容易にしたコンテンツ販売システムを提供する。【解決手段】コンテンツ配信者から購入可能なコンテンツのインデックスを購入申込可能に携帯電話に表示するステップと、前記インデックスに基づいて前記携帯電話を通じて購入申込のあったコンテンツの料金を当該携帯電話の通話料に課金するステップと、前記課金とともに、購入申込者に対してコンテンツ購入ＩＤを前記携帯電話に送信するステップと、前記コンテンツ購入ＩＤが電気通信回線に接続可能な端末から前記コンテンツ配信者に送信されることにより、当該コンテンツ配信者から前記端末に対して所定のコンテンツが配信されるステップとを含む。【選択図】        図７
2004185197.tif 000002
【特許請求の範囲】
【請求項１】
コンテンツ配信者から購入可能なコンテンツのインデックスを購入申込可能に携帯電話に表示するステップと、
前記インデックスに基づいて前記携帯電話を通じて購入申込のあったコンテンツの料金を当該携帯電話の通話料に課金するステップと、
前記課金とともに、購入申込者に対してコンテンツ購入ＩＤを前記携帯電話に送信するステップと、
前記コンテンツ購入ＩＤが電気通信回線に接続可能な端末から前記コンテンツ配信者に送信されることにより、当該コンテンツ配信者から前記端末に対して所定のコンテンツが配信されるステップ
とを含むことを特徴とするコンテンツ販売システム。
【請求項２】
前記当該コンテンツ配信者から前記端末に対して所定のコンテンツが配信されるステップにおいて、当該コンテンツの配信が完了するまでコンテンツ購入ＩＤは有効であることを特徴とする請求項１に記載のコンテンツ販売システム。
【発明の詳細な説明】
【０００１】
【発明の属する技術分野】
この発明は、コンテンツ販売システムに関し、特にコンテンツの販売料金を携帯電話通話料に課金するシステムに関する。
【０００２】
【従来の技術】
電気通信回線（インターネット）上を流通する商品、例えば映像、写真、音楽、ゲーム、ソフトウェア等のコンテンツの販売において、その対価の回収には、大別して以下の方法があり、それぞれには長所と短所が存在する。
【０００３】
・クレジットカード決済
クレジットカード決済では、クレジットカード事業者からコンテンツ対価を回収するため、与信上未回収に至る危険性が極めて少ない。しかしながら、クレジットカードの番号をインターネット上で送信するため、カード番号漏洩等の安全上の問題点が指摘される。
【０００４】
・銀行，郵便局等の各種金融機関への振り込み
各種金融機関への振り込みも与信上未回収に至る危険性が極めて少ない。しかしながら、振り込み手続きに手間と時間を要する。また、１回手続きを行う毎に振り込み手数料が必要となるため、少額決済の利用者に対し、振り込み手数料に過度の負担をかける。
【０００５】
・プリペイドカード決済，ＩＣカード決済
プリペイドカード決済は、購入したプリペイドカードの設定金額内のコンテンツ購入に限られ、常に決済を確保しようとするとコンテンツ購入者はプリペイドカードを購入し続けなければならない。また、プリペイドカード販売店の確保もコンテンツサービス提供者に負担を強いる。ＩＣカード決済は、当該ＩＣカード決済専用の読み取り端末をコンテンツ利用者に販売もしくは貸し出ししなければならず利用者負担が大きい。
【０００６】
上記の決済方法を補完するものとして、広汎に普及した携帯電話を用い、当該携帯電話通話料にコンテンツの対価を課金（合算）し回収する方法（例えば、特許文献１参照。）が存在する。この方法は、コンテンツ提供者の有料サイトもしくは販売設備に対し、利用可能にする認証情報（ＩＤ、パスワード等）を持つユーザー（携帯電話利用者）が携帯電話から認証情報を送信することによってコンテンツの購入を可能とするとともに、携帯電話課金サーバーから携帯電話会社にコンテンツ購入金額を通話料に加算するように指示するものであり、課金処理が簡単になるとともに少額商品の販売が可能となるという効果があった。
【０００７】
しかしながら、この方法では、ユーザー（携帯電話利用者）に販売するコンテンツの内容の開示が十分になされているのか定かではない。また、コンテンツが物品である場合、コンテンツ提供者は保有する個々の販売設備に認証情報を確認するための認証端末用設備の設備投資が必要となる。
【０００８】
【特許文献１】
特開２００２−２７１５１号公報  （第２−３頁、第１図、第２図）
【０００９】
【発明が解決しようとする課題】
この発明は、このような点に鑑み、コンテンツ利用者に対して少額決済時の手数料負担を軽減し、安全性を確保すると同時に、決済の利便性の向上とコンテンツの内容の確認を容易にしたシステムを提供するものである。
【００１０】
【課題を解決するための手段】
すなわち、請求項１の発明は、コンテンツ配信者から購入可能なコンテンツのインデックスを購入申込可能に携帯電話に表示するステップと、前記インデックスに基づいて前記携帯電話を通じて購入申込のあったコンテンツの料金を当該携帯電話の通話料に課金するステップと、前記課金とともに、購入申込者に対してコンテンツ購入ＩＤを前記携帯電話に送信するステップと、前記コンテンツ購入ＩＤが電気通信回線に接続可能な端末から前記コンテンツ配信者に送信されることにより、当該コンテンツ配信者から前記端末に対して所定のコンテンツが配信されるステップとを含むことを特徴とするコンテンツ販売システムに係る。
【００１１】
また、請求項２の発明は、前記当該コンテンツ配信者から前記端末に対して所定のコンテンツが配信されるステップにおいて、当該コンテンツの配信が完了するまでコンテンツ購入ＩＤは有効であることを特等とする請求項１に記載のコンテンツ販売システムに係る。
【００１２】
【発明の実施の形態】
以下添付の図面に従って、この発明の実施例について説明する。
図１は本発明の一実施例のコンテンツ販売システムを示す構成図、図２はインデックス交付時の構成図、図３はコンテンツ購入ＩＤ交付時の構成図、図４はコンテンツ購入ＩＤの認証時の構成図、図５はコンテンツダウンロード時の構成図、図６は対価の請求時の構成図、図７は図３のコンテンツ購入ＩＤ発行及び送信時のフローチャート、図８は図５のコンテンツ認証及びダウンロード時のフローチャート、図９は携帯電話の表示画面図、図１０は携帯電話の表示画面図である。
【００１３】
図１ないし図６に示すとおり、請求項１に規定するコンテンツ販売システムは、コンテンツ配信者１０から携帯電話利用者１に対し、コンテンツ配信者１０に蓄積された各種有料コンテンツ（アニメーションＡ、アニメーションＢ、アニメーションＣ…）４０等を販売し、その料金を携帯電話２の通話料に課金して前記携帯電話利用者１に請求するシステムに係る。特にコンテンツ配信者１０にあっては、コンテンツ配信事業者３０の販売したコンテンツの対価を携帯電話事業者２０が代行して回収するものである。実施例において、図１に示すとおり、コンテンツ配信事業者３０が開設した携帯電話用サイトは、携帯電話事業者２０を経由することにより携帯電話利用者１に開放され、当該利用者１はブラウザ機能を備えた携帯電話２を用い、前出の携帯電話用サイトより、後述するコンテンツのインデックスを請求することができる。
【００１４】
前記コンテンツ配信者１０は、携帯電話事業者２０とコンテンツ配信事業者３０より構成され、両者にはデータの送受信、蓄積、変更、認証を行うためのサーバー（データベース（ＤＢ））２１，３１が設けられる。携帯電話事業者２０とコンテンツ配信事業者３０間のサーバー２１，３１は、インターネット、専用回線等により接続され、後述のコンテンツインデックス、コンテンツ購入ＩＤ等のデータがやり取りされる。コンテンツ配信事業者３０のサーバー３１内では、インターネット（電気通信回線）上からアクセス可能（接続可能）なホームページ（ＨＰ）が開設される。また、このＨＰからは、携帯電話用サイトやＨＰ内の有料サイトへのアクセスが可能となっている。
【００１５】
実施例においてコンテンツとは、電気通信回線（インターネット）上を送信可能に調整された映像（アニメーション、映画、ドラマ、各種実況中継、映像作品、コンピューターグラフィックス等）、写真、絵画、音楽、ゲーム、ソフトウェア、デジタル化された書籍等の著作物を示す。コンテンツ配信者とは、前出の各種コンテンツを蓄積、配信する事業者を示す。前記コンテンツのインデックスとは、前出の各種コンテンツの内、アニメーション、映画等の映像にあってはその作品名に加えて当該映像作品中の所定時間の映像、当該映像作品の宣伝用の映像も含まれる。また、音楽にあってはその作品名、当該音楽中の所定時間の音声等である。また、前記インデックスには、各種コンテンツの制作者、監督名、原作者名、歌手名等も含まれるものである。なお、この実施例において、インデックスとは、後述する作品名インデックスと映像インデックスの総称であり、コンテンツのタイトル（作品名）やデモンストレーション画面（映像）等コンテンツの内容に関する情報を意味し、特にコンテンツとしてアニメーション作品（アニメーションＡ，アニメーションＢ，アニメーションＣ等）の配信を取り上げて説明するが、必ずしもこれに限られるものではない。
【００１６】
図２に示す構成図は、コンテンツ配信者１０から購入可能なコンテンツ（アニメーションＡ、アニメーションＢ等）のインデックスを購入申込可能に携帯電話２に表示するステップについて当事者間のデータの送受信を表すものである。
【００１７】
最初に携帯電話利用者１は、ブラウザ機能（閲覧機能）を備えた携帯電話２を用い、コンテンツ配信事業者３０の開設するホームページ（ＨＰ）の携帯電話用サイトにアクセスをおこなう。この場合、携帯電話２はサーバー２１を経由してサーバー３１に接続され、当該携帯電話用サイトが閲覧可能となる。前記携帯電話用サイトは、例えば図９に示す画像例Ｄ１（トップページ画面）として携帯電話２に表示される。ここで携帯電話利用者１が‘入口’を押すと、画面は画像例Ｄ２に示すサイトの説明画面に切り替わる。画像例Ｄ２では、このサイトの説明や利用規約を読むことができ、利用規約を承認することでこのサイトを利用することが可能となる。
【００１８】
続いて携帯電話利用者１は、画像例Ｄ３に示す作品検索画面において一覧表示される各コンテンツ（実施例でアニメーションＡ〜Ｅ）の作品名である作品名インデックス４１から、購入を希望するコンテンツの選択を行う。例えば、アニメーション作品であるアニメーションＡを選択すると、サーバー３１よりサーバー２１を介して携帯電話２にアニメーションＡの映像インデックス４２が配信（ダウンロード）され、図１０に示す画像例Ｄ４に示す作品試聴画面に映像インデックス４２が表示される。実施例において、前記映像インデックス４２はアニメーションＡより１５秒間抜き出した映像と音声である。
【００１９】
画像例Ｄ３，Ｄ４間では購入を検討するコンテンツが選択される毎に、当該コンテンツの映像インデックス４２が配信（ダウンロード）され、内容を確認できる構成である。画像例Ｄ４でコンテンツの内容を確認した後、‘選択する’を押すと、そのコンテンツは購入希望コンテンツとして記録される。購入を希望しない場合は、‘戻る’を押して画像例Ｄ３に戻ることができる。また、画像例Ｄ３において購入希望のコンテンツ選択の際には、映像インデックス（デモ映像）を試聴するか否かのメッセージが表示されるで、試聴せず（映像インデックス４２を省略する）に購入希望コンテンツを決定することもできる。
【００２０】
購入希望のコンテンツ選択が終了すると、続いて画像例Ｄ５に示す作品決定画面に、前記画像例Ｄ３において購入を希望すると選択されたコンテンツ（画像例Ｄ４で内容を確認したコンテンツを含む）の作品名インデックス４１が表示される。実施例ではアニメーションＡのみが選択されているため、コンテンツの作品名インデックス４１である‘アニメーションＡ’だけが表示されているが、複数のコンテンツを選択した場合は、各コンテンツの作品名インデックス４１が一覧表示される。ここで‘決定する’を押すことにより、コンテンツの購入申込が行われる。なお、コンテンツの購入をやめる場合は、キャンセルしてトップページに戻ることができる。
【００２１】
前記画像例Ｄ５において購入申込が行われると、次にコンテンツ購入ＩＤが発行される。図３はコンテンツ購入ＩＤが発行されるステップを模式的に表した構成図であり、図７はそのフローチャートである。このステップは、前記作品名インデックス４１に基づいて携帯電話２を通じて購入申込のあったコンテンツの料金を当該携帯電話の通話料に課金する構成となっている。実施例は、アニメーションＡのみが申込まれた場合の料金を課金する状況を表すものである。
【００２２】
携帯電話利用者１によってアニメーションＡの購入申込が行われると、サーバー２１において、アニメーションＡの料金が当該利用者１の通話料に課金される。前記課金後、アニメーションＡについて購入申込の情報（データ）がサーバー２１からサーバー３１に送信され、サーバー３１においてアニメーションＡに対応するコンテンツ購入ＩＤ（アニメーションＡ購入ＩＤ）が自動的に発行される。この時、発行されたコンテンツ購入ＩＤは、サーバー３１内に発行済のコンテンツ購入ＩＤとして蓄積され、新たにコンテンツ購入ＩＤが発行される際に、重複したコンテンツ購入ＩＤが発行されないように参照されるようになっている。こうして発行されたコンテンツ購入ＩＤ（アニメーションＡ購入ＩＤ）は、サーバー２１を経由して携帯電話利用者１の携帯電話２に交付される。
【００２３】
このコンテンツ購入ＩＤは、携帯電話利用者１が購入申込をしたコンテンツをコンテンツ配信事業者の開設するＨＰからダウンロードする際に提示する認証情報に相当する。該コンテンツ購入ＩＤの作成にあたっては、ＲＳＡ暗号，楕円曲線暗号，エルガマル暗号等公知の暗号作成方法が用いられ、アルファベット、数字、記号等より作成される。実施例では、画像例Ｄ６に示すようにコンテンツ購入ＩＤ（商品ＩＤ）として‘ａｂｃｄ−１２３４’が使用されているが、使用される文字の種類や桁数等はこれに限定されるものではない。なお、複数のコンテンツが携帯電話利用者１により購入された場合は、各コンテンツに対応するコンテンツ購入ＩＤを発行する場合と、一度に複数購入されたコンテンツ全体に対応するコンテンツ購入ＩＤを発行する場合があり、いずれを用いてもよい。
【００２４】
次にコンテンツ購入ＩＤ発行の流れについて図７のフローチャートを用いて説明する。図７はコンテンツ配信者１０側におけるサーバー２１，３１間の送受信、サーバー３１と携帯電話２間の送受信を表すものである。
【００２５】
コンテンツ配信事業者３０内のサーバー３１に開設された携帯電話用サイト及び各種コンテンツのインデックスは、携帯電話事業者２０のサーバー２１を通じて携帯電話２から閲覧可能に公開される（Ｓ１１）。携帯電話利用者１（携帯電話２）により、各種コンテンツの中から購入申込を希望するコンテンツが選択される（Ｓ１２）と、サーバー２１において当該購入申込のあるコンテンツに応じた料金が現在接続中の携帯電話利用者１の通話料に課金される（Ｓ１３）。コンテンツに対する課金が行われた後、どのコンテンツに購入申込されたかについてのデータがサーバー２１からサーバー３１に送信され、サーバ３１において携帯電話利用者１が購入申込をしたコンテンツに対応するコンテンツ購入ＩＤが自動発行される（Ｓ１４）。
【００２６】
発行されたコンテンツ購入ＩＤは、サーバー２１を経由して携帯電話２に送信されるが、コンテンツ購入ＩＤの送信の際、電波状態の不具合発生等が想定され、コンテンツ購入ＩＤが送信できない場合がある。そこでコンテンツ購入ＩＤが発行される際は、携帯電話利用者１（携帯電話２）に、適正に送信されたか確認が行われる（Ｓ１５）。適正に送信された場合には、携帯電話利用者１の携帯電話２の画面に画像例Ｄ６に示す購入結果表示画面が表示され、そこにコンテンツ購入ＩＤが通知される（Ｓ１６）。この画像例Ｄ６では、コンテンツ購入ＩＤが通知される他、コンテンツ購入ＩＤの使用に関する注意事項、利用金額、コンテンツ購入ＩＤの読み方等が、同時に通知されるようになっている。なお、適正に送信されなかった場合は、サーバー２１からサーバー３１へコンテンツ購入ＩＤの再発行を促す旨が送信され（Ｓ１７）、サーバー３１から再びコンテンツ購入ＩＤが発行される。
【００２７】
コンテンツ購入ＩＤが発行されると、図４，図５及び図８に示すように、携帯電話利用者１は、コンテンツ配信事業者の開設するＨＰから、購入したコンテンツ（アニメーションＡ）のダウンロードを実行することが可能となる。実施例のコンテンツ配信者内において、携帯電話事業者では携帯電話番号より、携帯電話利用者が認識され、コンテンツに応じた課金のみ行われる。一方、コンテンツ配信事業者には、携帯電話事業者からコンテンツ購入ＩＤの交付申請のみ送信される構成としている。このような構成とすることにより、携帯電話利用者によるコンテンツ購入に関する情報は、コンテンツ配信事業者のサーバーに蓄積されることはなくなり、不正アクセス等によりコンテンツ配信事業者のサーバーからの携帯電話利用者のコンテンツ購入情報等の漏洩に対応することができる。
【００２８】
図４は、コンテンツ購入ＩＤ（アニメーションＡ購入ＩＤ）を用いてコンテンツ配信事業者のＨＰ内の有料コンテンツにアクセスするステップである。このステップにおいて、携帯電話利用者１は、インターネットにアクセス可能な端末（実施例ではパーソナルコンピュータ（ＰＣ））３を使用して、コンテンツ配信事業者３０がサーバー３１内で開設するＨＰにアクセスし、携帯電話２に通知されたコンテンツ購入ＩＤ（アニメーションＡ購入ＩＤ）を参照して所定のコンテンツ購入ＩＤ入力欄に正しく入力し、送信する。前記携帯電話利用者１（ＰＣ３）からコンテンツ購入ＩＤ（アニメーションＡ購入ＩＤ）を受信したサーバー３１では、そのコンテンツ購入ＩＤが適正なものであるかの認証が行われる。
【００２９】
図５及び図８は、サーバー３１が受信したコンテンツ購入ＩＤの認証を行うステップの構成図とフローチャートである。携帯電話利用者１（ＰＣ３）によって入力されたコンテンツ購入ＩＤ（アニメーションＡ購入ＩＤ）を受信すると（Ｓ２１）、そのコンテンツ購入ＩＤが適正なものであるか否か、認証が行われる（Ｓ２２）。適正であると判断された場合、受信したコンテンツ購入ＩＤ（アニメションＡ購入ＩＤ）に対応したコンテンツ（アニメーションＡ）のデータがサーバー３１から呼び出され、インターネット等の通信回線を介して携帯電話利用者１（ＰＣ３）に送信され、ダウンロードが実行される（Ｓ２３）。また、コンテンツ購入ＩＤが適正でないと判断された場合は、携帯電話利用者１のＰＣ３の画面に、入力されたＩＤに誤りがある旨を通知するエラーメッセージとともに再度コンテンツ購入ＩＤの入力を求めるメッセージが表示され（Ｓ２６）、コンテンツ購入ＩＤの入力画面に戻る。なお、コンテンツ購入ＩＤの認証ステップＳ２２では、同一のコンテンツ購入ＩＤがアクセス中でないかについてのチェックが行われる。
【００３０】
また、前記ダウンロード実行（Ｓ２３）に際し、停電やサーバーダウン等の回線不良による不具合発生等が想定され、ダウンロードされているコンテンツ（コンテンツＡ）が正常に配信（ダウンロード）できない場合がある。そこでコンテンツのダウンロードが実行される際は、携帯電話利用者１（ＰＣ３）に、コンテンツが正常に配信されたか確認が行われる（Ｓ２４）。正常に配信された場合には、携帯電話利用者１のＰＣ３の画面にダウンロード完了のメッセージが表示される（Ｓ２５）。また、不具合発生等により、ダウンロードが正常に完了しなかった場合、ダウンロードが正常に行われなかった旨を通知するエラーメッセージとともに再度コンテンツ購入ＩＤの入力を求めるメッセージが表示され（Ｓ２６）、コンテンツ購入ＩＤの入力画面に戻る。この処理より、一度発行されたコンテンツ購入ＩＤは、購入したコンテンツのダウンロードが完了するまで有効である。
【００３１】
携帯電話利用者１によって購入されたコンテンツのダウンロードが完了すると、サーバー３１では今回のダウンロードに使用されたコンテンツ購入ＩＤが使用済のコンテンツ購入ＩＤとして蓄積（もしくは当該コンテンツ購入ＩＤに応答する認証データが消滅）されるようになっている。そのため、コンテンツのダウンロード完了後に、再度同じコンテンツ購入ＩＤでダウンロードを試みようとしても、コンテンツ購入ＩＤの認証の際に適正でないコンテンツ購入ＩＤが入力されたと判断されるので、同一のコンテンツ購入ＩＤで重複してダウンロードが実行できないようになっている。
【００３２】
図６は、コンテンツ購入に関する対価の請求時の流れを表すものである。携帯電話事業者２０は、サーバー２１に記憶されている購入されたコンテンツの課金データに基づき、携帯電話利用者１に対して、携帯電話の通話料（ｐ円）とコンテンツ（実施例ではアニメーションＡ）の購入料（ｑ円）とを合計した金額（ｐ＋ｑ円）が記載された請求書４を送付する。請求書４を受け取った携帯電話利用者１は、携帯電話事業者２０に通話料として指定された金額（ｐ＋ｑ円）を支払う。コンテンツ配信者１０内において、携帯電話事業者２０のサーバー２１に蓄積された課金データに基づきコンテンツの対価がコンテンツ配信事業者３０に支払われる。
【００３３】
【発明の効果】
以上図示し説明したように、この発明のコンテンツ販売システムによれば、コンテンツ配信者から購入可能なコンテンツのインデックスを購入申込可能に携帯電話に表示するステップと、前記インデックスに基づいて前記携帯電話を通じて購入申込のあったコンテンツの料金を当該携帯電話の通話料に課金するステップと、前記課金とともに、購入申込者に対してコンテンツ購入ＩＤを前記携帯電話に送信するステップと、前記コンテンツ購入ＩＤが電気通信回線に接続可能な端末から前記コンテンツ配信者に送信されることにより、当該コンテンツ配信者から前記端末に対して所定のコンテンツが配信されるステップとから構成されたことにより、少額コンテンツ購入の際の手数料負担が軽減し、利用者の匿名性や安全性が確保されると同時に、決済方法が簡略化されて利便性が向上する。
【００３４】
特に、携帯電話から購入申込をする際に予めコンテンツの内容を確認することが可能なので、購入を希望するコンテンツの内容を吟味することができ、不要なコンテンツの購入を減らすことができる。
【００３５】
また、コンテンツ購入ＩＤは、各コンテンツに対応する個別の認証情報であるため、コンテンツ購入ＩＤを入力するだけで簡単に購入したコンテンツのダウンロードを実行することができる。
【００３６】
加えて、コンテンツを電気通信回線（インターネット）上で送信可能に調整された著作物とすることにより、コンテンツ提供者は個々に販売設備を保有する負担がなくなり、販売設備に認証情報を確認するための設備投資が不要となる。
【００３７】
さらに、コンテンツ購入ＩＤは、携帯電話事業者に課金された後に発行され、対応するコンテンツのダウンロードが完了するまで有効であるため、回線不良などの問題が生じても正常にダウンロードが完了するまで何度でも購入したコンテンツのダウンロードが行えるとともに、同じコンテンツ購入ＩＤを用いて重複してダウンロードを行うというような不正も防止することができる。
【図面の簡単な説明】
【図１】本発明の一実施例のコンテンツ販売システムを示す構成図である。
【図２】インデックス交付時の構成図である。
【図３】コンテンツ購入ＩＤ交付時の構成図である。
【図４】コンテンツ購入ＩＤの認証時の構成図である。
【図５】コンテンツダウンロード時の構成図である。
【図６】対価の請求時の構成図である。
【図７】図３のコンテンツ購入ＩＤ発行及び送信時のフローチャートである。
【図８】図５のコンテンツ認証及びダウンロード時のフローチャートである。
【図９】携帯電話の第一表示画面図である。
【図１０】携帯電話の第二表示画面図である。
【符号の説明】
１    携帯電話利用者
２    携帯電話
３    パーソナルコンピュータ（ＰＣ）
１０  コンテンツ配信者
２０  携帯電話事業者
２１  サーバー
３０  コンテンツ配信事業者
３１  サーバー
４０  インデックス
【図１】
2004185197.tif 000003
【図２】
2004185197.tif 000004
【図３】
2004185197.tif 000005
【図４】
2004185197.tif 000006
【図５】
2004185197.tif 000007
【図６】
2004185197.tif 000008
【図７】
2004185197.tif 000009
【図８】
2004185197.tif 000010
【図９】
2004185197.tif 000011
【図１０】
2004185197.tif 000012